(57)【要約】【課題】カバー等の装着なしに、隙間等から挿入させた針金や棒等を摘みに引っ掛けたり又は押したりすることによるサムターンの不正解錠を困難にし、防犯性の向上を図ること【解決手段】本願発明に係る防犯用サムターン機構１は、円筒状の外筒２と、軸３と摘み４からなるサムターン５と、サムターン５の回動を錠杆の出没運動に変えるサ厶ターンコア６と、外筒２に同軸で回動自在に内設され、サムターンコア６の回動に伴って回動する内筒７と、サ厶ターン軸３に固定的に取り付けられ、サムターン５が外筒２から抜け落ちるのを防止する抜落防止ストッパー８からなり、内筒７の内周面にサムターン軸を押圧する押圧片９を設け、当該押圧片９が落ち込む切欠部１０をサムターン軸３に設けたことを特徴とする。【選択図】図１０
2005113657.tif 000002
【特許請求の範囲】
【請求項１】
円筒状の外筒と、軸と摘みからなるサムターンと、サムターンの回動を錠杆の出没運動に変えるサムターンコアと、外筒に同軸で回動自在に内設され、サムターンコアの回動に伴って回動する内筒と、サムターン軸に固定的に取り付けられ、サムターンが外筒から抜け落ちるのを防止する抜落防止ストッパーと、からなる防犯サムターン機構において、内筒の内周面にサムターン軸を押圧する押圧片を設け、当該押圧片が落ち込む切欠部をサムターン軸に設けたことを特徴とする防犯サムターン機構
【発明の詳細な説明】
【技術分野】
【０００１】  本発明は、扉の施解錠操作に用いられる防犯用サムターン機構に関し、さらに詳しくは、サムターンの正規な解錠操作力以外の解錠操作力が錠箱へ伝達されることを不可能にして防犯性を高めた防犯用サ厶ターン機構に関する。
【背景技術】
【０００２】  住宅やマンション等の玄関扉や事務所の出入口用扉には一般的に錠箱が設けられる。この錠箱は、扉の自由側端縁から進退する錠杆を扉枠に係合・係合解除させ、扉を施解錠する施解錠機構を内蔵し、扉の室外側に取りつけられるシリンダーと、扉の室内側に取りつけられるサムターンに連結され、室外側からはシリンダーの鍵穴に鍵を挿入して鍵を回転させることにより、室内側からはサムターンを回転させることにより施解錠動作される。即ち、室外側からの施解錠操作には鍵が必要となるが、室内側からの施解錠操作には鍵は必要ない。【０００３】  サムターンは、下記特許文献１にも開示されるように、扉の室内面側に垂直に突出した板状の摘みを有する。この摘みは、サムターン軸を介して錠箱の施解錠機構に連結される。従って、室内側からは、この摘みを指で摘んで回転操作することで回転操作力がサムターン軸を介して直接錠箱へ伝達され、施解錠機構により錠杆が進退されて、扉が容易に施解錠される。【０００４】  ところが、近年、ポストロあるいはドリル等の機械工具によって開けた小さな穴から棒や針金等を挿入し、サムターンの一部に引っ掛け、又は押し回して解錠するといった不正な態様での解錠による犯罪が増加している。このような不正解錠を防止するものとして、例えば下記特許文献２に開示されるサムターン用防犯カバーがある。【０００５】  このサムターン用防犯カバーは、サムターンが嵌入する嵌入孔を有するとともに、サムターンを覆う外面部分が、円状軌跡に沿う円形状に形成されている。カバー側面には、上記の嵌入孔に螺入してサムターンの側面に当接し、両側からサムターンを挟持するセットスクリューが設けられている。このような構成からなる防犯カバーは、嵌入孔にサムターンを挿入して、サムターンを覆うように防犯カバーをサムターンに固定する。従って、サムターンに被せた防犯カバーによって、針金等を係止させたり、棒で押しまわしたりするサムターンの不正解錠操作が難しくなる。【０００６】  また、上述の防犯カバーの別態様として、防犯カバーを、取付部及び本体部から構成したものが開示されている。取付部は、上記の防犯カバーの外形を手による操作が容易となるように形成し、本体部が係止する係止突部を設けている。取付部は、サムターンに被せた状態でサムターンを回転させることができる。また、本体部は、係止突部に係止可能な係止部を有している。このように、係止作業という簡単な操作によって防犯カバーの着脱が行える。さらに、係止部で本体部が空転することによって、針金等を係止させたり、棒で押し回したりする不正解錠操作が不可能となる。
【特許文献１】特公平０２−０１５７１５
【特許文献２】実公平０４−０４０３６２
【発明の開示】
【発明が解決しようとする課題】
【０００７】  しかし、上述した従来の防犯カバーは、外形が円筒形状であるため、従来のように指で摘んで回すという容易な回転操作が行えず、操作性が低下した。また、防犯カバーを被せない状態においては、板状のサムターン摘みの状態（水平か、鉛直か）によって、施錠状態・解錠状態の区別が一目瞭然であったのが、防犯カバーを被せることによって施錠状態・解錠状態の区別が視認不能となる結果、誤操作か生じやすくなり、これによっても操作性を低下させた。さらに、防犯カバーは着脱容易であるが、使用しない場合の保管管理が煩雑であり、紛失するおそれがある。【０００８】  本発明は上記事情に鑑みてなされたもので、カバー等の装着なしに、隙間等から挿入させた針金や棒等を摘みに引っ掛けたり又は押したりすることによるサムターンの不正解錠を阻止し、防犯性の向上を図ることを目的とする。
【課題を解決するための手段】
【０００９】  上記目的を達成するため、請求項１に記載された発明は、円筒状の外筒２と、軸３と摘み４からなるサムターン５と、サ厶ターン５の回動を図示しない錠杆の出没運動に変えるサムターンコア６と、外筒２に同軸で回動自在に内設され、サムターンコア６の回動に伴って回動する内筒７と、サ厶ターン軸３に固定的に取り付けられ、サムターン５が外筒２から抜け落ちるのを防止する抜落防止ストッパー８と、からなる防犯サムターン機構１において、内筒７の内周面にサムターン軸３を押圧する押圧片８を設け、当該押圧片８が落ち込む切欠部９をサムターン軸３に設けたことを特徴とする。
【発明の効果】
【００１０】  施錠状態でサムターン５を室内側に引っ張ると、内筒７の内周面に設置された押圧片９がサムターン軸３の切欠部１０に落ち込むとともに、サムターン軸３とサムターンコア６の係合が外れる結果、サムターン５による解錠は不可能になる。よって、外出中・在室中を問わず、隙間等から挿入させた針金や棒等を摘み４に引っ掛けたり又は押したりすることによるサムターン５の不正解錠を阻止し、防犯性の向上を図ることができる。【００１１】  また、カバー等の付加的な部品を必要としないので、管理の煩雑さ、紛失の心配等から解放される。
【発明を実施するための最良の形態】
【００１２】  本発明に係る防犯用サムターン機構１は、外筒２、内筒７、サムターン５、抜止防止ストッパー８及びサムターンコア６とからなる、本発明の実施環境を述べた上で、各々の構成要件について説明する。【００１３】  先ず、本発明の実施環境について述べる。一般住宅やオフィスの玄関その他の扉には、防犯を目的として施錠・解錠を行うことのできる扉錠が装着されているが、本発明に係る防犯用サムターン機構１は、かかる扉錠の一機構として機能する。即ち、扉の室外側にはシリンダーが装着され、扉の室内側にはサムターン５が装着されるのが一般的であるが、通常のサムターン機構の代わりに、本発明に係る防犯用サムターン機構１を用いることで格段に防犯性能を高めることができる。なお、本発明のポイントは、扉錠のうちサムターン側の構造にあり、シリンダー側の構造ではない。シリンダー側の構造に関しては周知技術を使用するため特に説明しない。【００１４】  本実施の形態による防犯サムターン機構１が取り付けられる図示しない扉には、錠箱が設けられる。錠箱には、扉内に埋設されるタイプと扉の室内側に面付けされるタイプのものがある。錠箱は、錠杆、及び錠杆を扉の自由側端縁から進退させる錠箱機構部を内設している。【００１５】  次に、構成要素について述べる。【００１６】  先ず、外筒２について説明する。外筒２は本発明に係る防犯用ザムターン機構１の構成要素のうち最外殻に当たる部材であり、図１に示すように円筒形状の部材である。扉に固定的に装着される。底面にはサムターン軸３が貫入される丸穴１６が存在する。【００１７】  第二に、内筒７について説明する。内筒７も図３に示すように円筒形状である点において外筒２と変わらない。しかし、回動自在である点において外筒２と異なる。内筒７はサムターンコア６と係合しており、サムターンコア６の回転に伴って内筒７も回動する。【００１８】  第三に、サムターン５について説明する。サムターン５は、図４に示すように指で摘むためのサムターン摘み４と、摘みを回転させたときの回転力をサムターンコア６に伝えるためのサムターン軸３からなる。サムターン軸３は、外筒２の底面の丸穴９から挿入する。通常のサムターン５は回転させることしかできず、押したり引っ張ったりすることができないが、本願発明に係るサムターン５は、押し引き操作ができる。サムターン軸３とサムターンコア６を係合させたり、解除させたりする必要があるからである。【００１９】  第四に、抜落防止ストッパー８について説明する。抜落防止ストッパー８は、図４に示すようにサムターン軸３に固定的に取り付けられる。サムターン軸３は、外筒２の底面の丸穴１６から挿入するが、サムターン５が外筒２の底面の丸穴９から抜け落ちないようにするために、抜落防止ストッパー８をサムターン軸３に装着させる必要がある。【００２０】  第五に、サムターンコア６について説明する。サムターンコア６は、内筒７と常に嵌合しており、また図示しないシリンダーの回転動作に伴い回動する。一方、サムターンコア６は、必ずしもサムターン５の回転動作に伴い回動するわけではない。サムターン５を扉の室内側に引っ張ることによってサムターンコア６とサムターン軸３の係合が解かれるからである。係合の態様は、マイナスドライバーとマイナスねじの関係と同様である。サムターン５がマイナスドライバーに相当し、サムターンコア６がマイナスねじに相当する。【００２１】  基本的構成要素は、上記５つである。そして、図３に示すように、内筒７の内周面にサムターン軸３を押圧する押圧片９を設け、当該押圧片９が落ち込む切欠部１０をサムターン軸３に設けたことが本願発明最大の特徴点である。押圧片９は、サムターン軸３を弾性的に押し付けることができるものであればどのような態様のものでも構わない。【００２２】  次に、上記の構成を有する防犯用サムターン機構１の作用を説明する。【００２３】  まず、在室中における防犯状態の設定方法について図５から図７に沿って述べる。図５のように室内側からサムターン５によって施錠すれば、その回転力がサムターンコア６に直接伝わりシリンダー側も施錠される。その状態でサムターン５を引っ張ると図６のようになる。つまり、サムターンコア６とサムターン軸３の係合が解かれる。すると、内筒７の内周面に設けられた押圧片９がサムターン軸上の切欠部１０に落ち込む結果、室内側に居る本人ですらそのままサムターン５を押し込むことができなくなる。また、棒や針金等を使ってサムターン５を回転させることはできるが、空回りするだけである。【００２４】  そこで室内側からの解錠方法について述べる。【００２５】  サムターン５を回転させて、押圧片９と切欠部１０との係合を解くと図７のような状態となる。サムターンコア６とサムターン軸３が係合していない状態においては、サムターン５を回転させてもサムターンコア６ひいては内筒７が回転せず、サムターン５だけが回転する結果、押圧片９と切欠部１０との係合を解くことができるのである。なお、施解錠操作に際しては、図示しない錠箱内に内装されたバネの力に抗して錠杆を出没させる必要があることから、一定以上の回転力をサムターン５に加えなければならないが、押圧片９と切欠部１０の係合はそれ未満の回転力で解除できるように設計する必要がある。つまり、押圧片９と切欠部１０は一旦引っ張ったサムターン５を押し戻すことが出来ないようにする役割を果たすのみで、サムターン５の回転さえも阻むものであってはならない。けだし、本願発明は、サムターン５を不正に回そうとしても空転するところに意味があり、サムターン５の回転と共に内筒７まで回転してしまうと、サムターンコア６ひいてはシリンダーまでが回転して解錠できてしまい、防犯性が確保されないからである。ただ、不正解錠を行おうとしている者に解錠できたと勘違いさせるために、全く抵抗なく空転するよりは、一定の力に抗して（クリック感を与えつつ）空転するようにした方が好ましい。【００２６】  サムターン５を回転させて、押圧片９と切欠部１０との係合を解くと、サムターン５を押し込むことができるようになる。つまり図７の状態である。ただ、この状態で押し込んでもサムターンコア６の溝１１とサムターン軸３の先端１２が係合しないので、サムターン５を完全に押し込むことはできない。そこでサムターン５を施錠方向に回転させると、サムターンコア６の溝１１とサムターン軸３の先端１２の向きが一致するので完全にサムターン５を押し込むことができ、図５のようにサムターンコア６の溝１１とサムターン軸３の先端１２を係合させることができる。そして、両者が係合した状態でサムターン５を解錠方向に回転させれば、解錠することができる。以上の通りであるから、外部から針金や棒を使って不正に解錠することは困難である。【００２７】  次に、外出するときの防犯状態の設定方法について図５から図７に沿って述べる。この場合は、サムターン５で解錠しないと外に出ることができないので、サムターン５を回転させて解錠状態にした後、サムターン５を引っ張ってサムターンコア６とサムターン軸３の係合を解く。すると、内筒７の内周面に設けられた押圧片９がサムターン軸上の切欠部１０に落ち込む結果、サムターン５を押し込むことはできなくなる。この状態で外に出て、図示しないシリンダーを施錠する。すると、シリンダーの回転によって内筒７が回転する。押圧片９と切欠部１０が係合しているので、シリンダーを回転させると、サムターン５も回転する。その結果、サムターンコア６とサムターン軸３の先端１２が係合していない状態を維持しつつ、シリンダーもサムターンも施錠状態となる。この状態でサムターンを不正解錠しようとしても、上述したようにサムターンだけが空転することとなるので解錠することはできない。結局、鍵を使ってシリンダーを解錠するしかないのである。【００２８】  以上のように、本願発明によれば、在室中・外室中を問わず、針金や棒等によって不正にサムターンを解除することができず、高い防犯性を維持することができる。
【実施例１】
【００２９】  本実施例の内筒について説明する。内筒７は基本的に円筒形状であるが、その一端はサムターンコア６と係合するよう、図３のように９０度おきに切欠１３が設けられている。また、内筒７の内周面にはサムターン軸３を押圧する押圧片９が設けられている。本願実施例の押圧片９は内筒７の内周面からサムターン側斜め方向に張り出す板状のものであり、サムターン側斜め方向を向きながら弾性的にサムターン軸３を押さえ付ける格好となっている。【００３０】  本実施例のサムターンコア６は、図２に示すように、内筒７に収まるよう内筒７の一端に９０度おきに設けられた切欠１３に係合するよう、外周面に９０度おきに突片１４が設けられている。つまり、サムターンコア６に突片１４が設けられていなければ内筒７にサムターンコア６がすっぽり収まるところであるが、突片１４が設けられているのでサムターンコア６の全部は収まらず、切欠分だけ互いに係合し合うこととなる。また、サムターンコア６はサムターン軸３と係合する必要もあるので、サムターンコア６の一端に、サムターン軸３の先端１２がとターンコアと係合するよう直線状の溝１１が設けられている。【００３１】  本実施例のサムターン５は、図４に示すように一般のサ厶ターン同様円柱状のサムターン軸３と板状のサムターン摘み４からなるが、外筒２からの抜け落ちを防止する抜落防止ストッパー８がサムターン軸３に固定的に取り付けられている点、及びサムターン軸３の外周面には、押圧片９が落ち込む切欠１０が設けられている点が特徴的である。押圧片９が落ち込む切欠部１０は、板状の押圧片９がうまく落ち込むようにテーパー状に抉れた形となっている。具体的に言うと、図７、図８、図９に表されているように切欠部１０の断面形状は直角三角形である。押圧片９が落ち込むと、押圧片９の先端は切欠部１０の鉛直方向の壁１５を突き押す格好になっているので一旦押圧片９が切欠部１０に落ち込むとサムターン５を押そうとしても押すことができない。【００３２】  本実施例の抜落防止ストッパー８は、Ｃ字型のリングであり、図４に示すようにサムターン軸３に予め軸回りに形成された溝に無理填め固定的に取り付けられる。抜落防止ストッパー８が装着された部分は、図５から図１０に示すように外筒２の底面の丸穴１６の径よりも大きいため、サムターン５が外筒２の底面の丸穴１６から抜け落ちるのを防止できる。
【図面の簡単な説明】
【００３３】
【図１】外筒の斜視図
【図２】サムターンコアの斜視図
【図３】内筒の斜視図
【図４】サムターンの斜視図
【図５】室内側から施錠した場合における防犯用サムターン機構の内部構造
【図６】施錠状態においてサムターンを引っ張った場合における防犯用サムターン機構の内部構造
【図７】施錠状態からサムターンを引っ張った後、サムターンを解錠方向に回転させた場合における防犯用サムターン機構の内部構造
【図８】解錠状態の場合における防犯用サムターン機構の内部構造
【図９】解錠状態においてサムターンを引っ張った場合における防犯用サムターン機構の内部構造
【図１０】図９の状態からシリンダーを施錠方向に回転させた場合における防犯用サムターン機構の内部構造
【符号の説明】
【００３４】１…防犯用サムターン機構
２…外筒
３…サムターン軸
４…サムターン摘み
５…サムターン
６…サムターンコア
７…内筒
８…抜落防止ストッパー
９…押圧片
１０…サムターン軸上の切欠部
１１…サムターンコアの溝
１２…サムターン軸の先端
１３…内筒の切欠
１４…サムターンコアの突片
１５…サ厶ターン軸上の切欠の鉛直壁
１６…外筒の底面の丸穴
【図１】
2005113657.tif 000003
【図２】
2005113657.tif 000004
【図３】
2005113657.tif 000005
【図４】
2005113657.tif 000006
【図５】
2005113657.tif 000007
【図６】
2005113657.tif 000008
【図７】
2005113657.tif 000009
【図８】
2005113657.tif 000010
【図９】
2005113657.tif 000011
【図１０】
2005113657.tif 000012